(57)【要約】【課題】  ウエストラインの補整力を高め、ウエスト部に密着すると共に、位置ズレすることなく安定して装着され補整用下着とする。【解決手段】  腰部の周囲を締着する帯状の部分であって、本体生地の上下幅に亘る複数本のボーンが縦方向に配置されている。本体生地の内側面の上下間の中央部付近に横方向に亘って伸縮可能な帯生地を重合する。この帯生地の両端部と両脇腹部の上下縁部は縫着し、背中部と腹部をフリーな状態で当着したものである。【選択図】  図１
0003139582.tif 000002
【実用新案登録請求の範囲】
【請求項１】
腰部の周囲を締着する帯状の部分であって、本体生地の上下幅に亘る複数本のボーンが縦方向に配置され、本体生地の内側面の上下間の中央部付近に横方向に亘って伸縮可能な帯生地を重合し、この帯生地の両端部と両脇腹部の上下縁部は縫着し、背中部と腹部をフリーな状態で当着したことを特徴とする補整用下着。
【請求項２】
ボーンが背骨部を挟んで左右位置に配置されたボーン間、及び骨盤の腹側位置に配置したボーンと腹中央部の間の帯生地をフリーな状態としたことを特徴とする請求項１記載の補整用下着。
【請求項３】
本体生地に当着する位置の本体生地の長さよりも短い帯生地を、伸ばして本体生地へ重合して当着したことを特徴とする請求項１又は２記載の補整用下着。
【考案の詳細な説明】
【技術分野】
【０００１】
本考案は腰部の周囲を締着する帯状体、或いは要部の周囲を締着する構成の帯状部を有し、ウエスト部を引き締め、サポートするウエストニッパ、シェイパーやボディスーツ等の補整用下着に関するものである。
【背景技術】
【０００２】
補整用下着には、腰部に帯状体を直接巻き付けて着用するものや、下着における腰部の周囲を締着する帯状の部分を有するものがある。
例えばウエストニッパに関して、実開平４−７００９４号では、両端部の一方側にはフックが、他方側にはアイ等に係止手段が設けられていて、このフックとアイを係止して、ウエストのサイズに応じて適度な締め具合が得られるようにして使用する。
そして、当該ウエストニッパの本体は伸縮性を有する生地が使用され、縦方向には所定の間隔をおいて柔軟性のあるボーンと呼ばれる骨材が縫着されているものもある。
【０００３】
また、特開２００６−１６１２００では、ウエストニッパの内側にパワーネットが設けられ、特に腹部及び脇腹部に付いている贅肉を押えることを目的とし、伸縮性に優れた生地で構成され、腹を押さえる中央部には中央パワーネットが対を成して設けられ、同じく両脇腹を押さえる両側にも側部パワーネットを設けたものもある。
【考案の開示】
【考案が解決しようとする課題】
【０００４】
人の体形は様々であって、部分的に贅肉が付いてしまったり、ウエスト全体を均等に締め付けても窮屈さや圧迫感を与えられるだけでその効果が得られないといった問題がある。
また、補整用下着をウエストに着用して身体を動かすと、その装着位置が変化してしまい、締め直しを時々しなくてはならないことが度々生じるのである。
本考案は斯かる点に鑑みて、ウエストラインの補整力を高め、ウエスト部に密着すると共に、位置ズレすることなく安定して装着され補整用下着を提供せんとするものである。
【課題を解決するための手段】
【０００５】
本考案の請求項１の補整用下着は、腰部の周囲を締着する帯状の部分であって、本体生地の上下幅に亘る複数本のボーンが縦方向に配置され、本体生地の内側面の上下間の中央部付近に横方向に亘って伸縮可能な帯生地を重合し、この帯生地の両端部と両脇腹部の上下縁部は縫着し、背中部と腹部をフリーな状態で当着したことを特徴とするものである。
【０００６】
また、請求項１を援用する請求項２の補整用下着は、ボーンが背骨部を挟んで左右位置に配置されたボーン間、及び骨盤の腹側位置に配置したボーンと腹中央部の間の帯生地をフリーな状態としたことを特徴とするものである。
【０００７】
そして、請求項１及び２を援用する請求項３の補整用下着は、本体生地に当着する位置の本体生地の長さよりも短い帯生地を、伸ばして本体生地へ重合して当着したことを特徴とするものである。
【考案の効果】
【０００８】
本発明に係る補整用下着は、ウエスト部に巻き付けて適度な締付け力を付加することが出来るように構成され、その本体生地は長さ方向に伸縮自在であり、所々には上下縦方向にボーンが設けられている為に縦方向への伸びを防いで、曲げ剛さが備わり、ウエスト部から腰部にかけてほぼ均等に締付けることが出来る効果が得られる。
【０００９】
そして、本体生地の内側面の上下間の中央部付近に横方向に亘って伸縮可能な帯生地が重合し当着しているため、着用したときにウエストの部分となり、この帯生地は腹及び脇腹に付いた贅肉を部分的に押さえることができると共に、美しいウエストラインを補整形成する効果を有するのである。
【００１０】
さらに、この帯生地の両端部と両脇腹部の上下縁部は縫着し、背中部と腹部をフリーな状態で当着されている為に、フリーの帯生地の部分は本体生地と無縁に、背部や腹部に密着し、本体生地が身体の動きに応じて一時的に従動しても、直に元に戻り補整用下着が位置ズレすることなく安定する。
そして、帯生地の当着していない補整用下着の上下部は、身体の動きに応じて従動するため、装着の窮屈感や違和感を起こさせない効果も発揮するのである。
【００１１】
請求項２の補整用下着は、ボーンが背骨を挟んで左右位置に配置されたボーン間、及び骨盤の腹側位置に配置したボーンと腹中央部の間の帯生地をフリーな状態としたため、フリーの状態がボーンで区分されたスペースに形成することで、本体生地との独立性が高まり独自の密着効果が良好となる格別の効果を得られる。
【００１２】
請求項３の補整用下着は、本体生地に当着する位置の本体生地の長さよりも短い帯生地を、伸ばして本体生地へ重合して当着したため、帯生地は本体生地より大きく引き伸びてウエスト部に捲着し、その結果、帯生地は背や腹及び脇腹により強く密着する格別の効果を発揮するのである。
【考案を実施するための最良の形態】
【００１３】
本考案の実施の形態を図面に基づいて説明する。
図面は本考案の補整用下着の中のウエストニッパを例としたものであり、その一実施の形態を示す内側面の平面図、図２は同横断面図である。
ウエストニッパの本体１は、伸縮性を有する生地によって全体が横長の帯状に形成され、中央部が緩やかに凹状に湾曲した形状をなしている。
伸縮性を有する生地は公知のウエストニッパに用いられているものから適宜選択するものである。
【００１４】
本体生地１の両側端部２、２には止着手段が設けてあり、一方側に設けたフック部には複数のフック３、３・・が等間隔で二列を成して配列し、反対側にはアイ４、４・・が等間隔で配列し、アイ４をフック３、３・・の適当な列に係止してウエストニッパをウエスト部に着用する。
止着手段は、本実施形態ではフック３とアイ４とから成っているが、これに限定されるものではなく、例えば面ファスナー等であってもよい。
図面のウエストニッパでは横長の帯体であるため、両端部に止着手段を有するが、筒状体に形成した補整下着であれば当然不要となる。
【００１５】
また、本体生地１の縦方向には湾曲自在なボーン５Ａ、５Ｂ、５Ｃが縫着６され、ボーンは、本体生地１の上縁部から下縁部まで達する適宜幅を有し、所定の間隔をおいて横幅の間に複数本設けられている。
このように、本体生地１の上縁部から下縁部まで達するボーンを設けることで、腰部分が支持されるため、骨盤のずれを矯正するのみならず、腰を支えて補助する効果も期待できる。
【００１６】
図面の実施形態では、このようなボーンを着用時において、左右それぞれの骨盤部分を挟んで前後に一本（５Ａ、５Ｂ）ずつと、背骨を挟んで左右対象位置に一本（５Ｃ）ずつの計六本設けている。
このように、骨盤部分を挟んで前後にボーン５Ａ、５Ｂを設けることで、着用時に体を前後に曲げた場合のみならず、左右に傾けた場合でも、ボーン５Ａ、５Ｂによって腰部分が安定的に支持されることになる。
ただし、ボーンの本数については、必要に応じてさらに本数を増減すことは可能で、任意に設定できるものである。
【００１７】
一方、本体生地１の内側面の上下間の中央部付近に横方向に亘って伸縮可能な帯生地７を重合し、この帯生地７の両端部及び両脇腹部の上下縁部は縫着６され、背中部と腹部をフリーな状態で当着している。
即ち、着用時に背骨を挟んで左右位置に配置したボーン５Ｃ、５Ｃ間、及び骨盤の腹側位置に配置したボーン５Ａと両端部２、２の間の帯生地部７Ａ、７Ｂがフリーな状態となっている。
両脇部の肉部をしっかり固めているので、運動（動作）の追随性を良好とし、体型への対応をよりよくしている。
帯生地７は、本体生地１より伸縮の強い素材が好ましく、この帯生地７が捲着するウエスト部分の補整強化と、ウエストニッパの位置ズレを防止するものである。
【００１８】
また、帯生地７は、本体生地１に当着する位置の両端部間の長さよりも短い寸法としてあり、当直時に本体生地１の長さに合わせて伸ばし、本体生地１へ重合して逢着６したものである。
したがって、帯生地７は本体生地１より大きく引き伸びてウエスト部に捲着し、その結果、帯生地７は背や腹及び脇腹に本体生地１よりもより強く密着するのである。
【００１９】
以上、ウエストニッパの一実施形態に基づき本考案を説明したが、他の補整用下着であっても腰部の周囲を締着する帯状の部分とすれば、同様の作用効果を得られる。
また、本考案は上記図面の実施形態に何ら限定されるものではなく、本考案の趣旨を逸脱しない範囲内で種々改良変形が可能であることは容易に推察できるものである。
【図面の簡単な説明】
【００２０】
【図１】本考案の一実施の形態を示すウエストニッパの内側面の平面図である。
【図２】図１の同横断面図である。
【符号の説明】
【００２１】
１                本体生地（本体）
２                側端部
３                フック
４                アイ
５Ａ、５Ｂ、５Ｃ  ボーン
６                逢着
７                帯生地
【図１】
0003139582.tif 000003
【図２】
0003139582.tif 000004